(57)【要約】      （修正有）【課題】マニュアルレンズでの撮影時、回転ヘリコイドでピントを合わせた後にさらに正確なピント調節を行うピント超微動調節装置を提供する。【解決手段】マニュアルカメラレンズ本体に接続して使用する装置で、円筒状の主筒表面の上部と下部に、それぞれピッチ０．７５ｍｍのネジ切りをし、そのネジ切りに対して直角に１周１２個の溝を掘り、ボールベアリングとスプリングを穴１２に差し込んだ円筒状の副筒を前記主筒の外側に組み込み、前記副筒を左右に回すことにより、ボールベアリングとスプリングが上から押される圧力で、前記主筒の溝の上を前記副筒が１動作３０度ずつ、０．７５ｍｍ微動することを特徴とするピント超微動調節装置３。【選択図】図２
0003184874.tif 000002
【実用新案登録請求の範囲】
【請求項１】
マニュアルレンズでの撮影時に使用するピント超微動調節装置です。カメラレンズでのピント合わせの時に回転ヘリコイドを操作しますが、その時にこのピント超微動調節装置の共回りを防ぐために楕円穴８とネジ穴１１をネジで連鎖することにより解決します。部品Ｂの角溝９の上で外側のローレット３を回すことにより、ローレット３の穴１２の中のボールベアリングとスプリングによるショックにより１クイックずつ移動します。それに伴い、ネジ山６により部品Ｂが移動します。１クイック３０度回転で、一周（一回転）３６０度です。ピッチ０．７５ｍｍの場合は、わずか０．７５ｍｍの移動します。ローレット３を右へ回せばカメラ側へ、左へ回せば対物レンズ側へ部品Ｂが移動します。
【考案の詳細な説明】
【技術分野】
【０００１】マニュアルカメラレンズでの撮影時、被写体にピントを合わせたつもりでも、実際に写したものを見るとピントがぼけていることがあります。本考案の商品は、さらに正確なピント調節を目的とした超微動ピント調節機能装置です。カメラレンズに取り付け、ピントを合わせた後、さらに正確なピント調節をすることにより、より鮮明な写真を撮ることができる装置です。
【背景技術】
【０００２】中高年になると、眼力が弱くなり、撮影時にピントを合わせたつもりでも、写真が出来上がるとピンボケだったりすることがあります。
そこで、誰が撮影しても失敗しない鮮明な写真が撮れるようにピント微動調節装置を考案しました。
【考案の概要】
【考案が解決しようとする課題】
【０００３】眼力や視力の低下の理由により、せっかく写真を撮ってもピントがぼけた写真になってしまう。そういった主に中高年の撮影者が、本装置を使用することにより、本来の技量を発揮でき、ピントが合った写真を撮ることができる。
【課題を解決するための手段】
【０００４】ピント超微動調節機能（クイックフォーカス）は、１クイックが回転角３０度で、約０．０６ｍｍピントが移動し、１２クイックで３６０度（一回転）で０．７５ピントが移動します。適宜に回転ヘリコイドでピントを合わせて１枚写します。次は右、又は左に１クイック回して１枚写します。その中の１枚以上は、プロカメラマンを上回る最高のピントが得られます。
【考案の効果】
【０００５】ピントを正確に合わせたつもりでも、写したものを見てみるとピンボケ写真になっているという問題を解決し、鮮明な写真が撮れる。
【図面の簡単な説明】
【０００６】
【図１】＜図１＞ピント超微動調節装置（クイックフォーカス）を取り付けたカメラレンズをカメラボデーに接続した平面図。
【図２】＜図２＞ピント超微動調節装置（クイックフォーカス）の断面図
【図３】＜図３＞部品Ｂの側面図
【考案を実施するための形態】
【０００７】本考案を図示の実施例に基づいて詳細に説明します。図１は実施例におけるピント超微動調節装置（クイックフォーカス）を取り付けたカメラレンズをカメラボデーに取り付けた形態です。部品部（図３）の角溝９は幅１．２ｍｍ、深さ０．５ｍｍの溝で、１クイック３０度で一周１２個の溝を掘り、図２で示した金物５に部品Ｂ（図３）を接続し、ネジ穴１１と楕円穴８を合わせてネジで留めます。手で回しやすく外周にローレット加工を施した金物３の穴１２にボールベアリング、次にスプリングを入れ、この上からネジで押さえます。上から押されることにより、ローレット加工の金物３を回すと、角溝９の上をローレット加工の金物３が１クイックずつ、カチカチと手ごたえを感じて移動します。右へ回せば部品Ｂがカメラ側へ移動し、左へ回せばカメラと反対側の対物レンズ側に移動します。
【実施例】
【０００８】カメラレンズの超望遠１０００ｍｍ級ともなると焦点深度が非常に浅くなり、ピント合わせが容易ではなくなるので、本考案のピント超微動調節機能（クイックフォーカス）を使います。まず、適宜に回転ヘリコイドでピントを合わせて、そこで１回シャッターを押し、次にピント超微動調節装置（クイックフォーカス）を１クイック回し、シャッターを押します。次に、ピント超微動調節装置（クイックフォーカス）を元に戻してから、反対側に１クイック回してシャッターを押します。最初のピント合わせに自信が無ければ、各２クイック以上広げます。その方法で写したもののうち１枚は、最高のピントが得られます。
【産業上の利用可能性】
【０００９】カメラレンズでの撮影時、時に１０００ｍｍ級の超望遠では、より正確な画像に挑戦すると、ピント調節は判別しにくくなり、「ピントは行ったり来たり」と迷います。中高年ともなると、眼力、視力が弱くなり、ピントが合ったつもりでも写してみるとピンボケだったりすることがあります。そんな時に失敗しない写真が写せるピント超微動調節装置（クイックフォーカス）です。１０００ｍｍ級になってもファインダーで見た場合、ピント誤差の（対物レンズからＣＣＤ−撮像素子までの距離）０．１ｍｍ判断は困難を伴います。ファインダーで判別するには個人差はありますが、０．２ｍｍくらいになると判別がわかりやすくなります。ピント超微動調節装置（クイックフォーカス）を利用すれば、最大０．０６ｍｍ以内におさまり、しかもカメラファインダーとＣＣＤ（撮像素子）との距離も補正されます。
【符号の説明】
【００１０】１  カメラボデー
２  カメラレンズボデー
３  ピント超微動調節装置（外周ローレット加工）
４  回転ヘリコイド
５  カメラレンズの対物側とカメラ側を連結する部品
６  ピント超微動調節装置（クイックフォーカス）の微動を司るネジ
７  カメラレンズの対物側に接続するネジ
８  楕円穴
９  角溝
１０  ３の回転を安定させるネジ
１１  ８と合わせてネジを入れるネジ穴
１２  ボールベアリング等を入れる穴
１３  対物レン側
１４  部品Ｂ
【図１】
0003184874.tif 000003
【図２】
0003184874.tif 000004
【図３】
0003184874.tif 000005
【手続補正書】
【提出日】平成25年4月30日(2013.4.30)
【手続補正１】
【補正対象書類名】実用新案登録請求の範囲
【補正対象項目名】全文
【補正方法】変更
【補正の内容】
【実用新案登録請求の範囲】
【請求項１】
マニュアルカメラレンズ本体に接続して使用する装置で、円筒状の主筒表面の上部と下部に、それぞれピッチ０．７５ｍｍのネジ切りをし、そのネジ切りに対して直角に１周１２個の溝を掘り、ボールベアリングとスプリングを穴に差し込んだ円筒状の副筒を前記主筒の外側に組み込み、前記副筒を左右に回すことにより、ボールベアリングとスプリングが上から押される圧力で、前記主筒の溝の上を前記副筒が１動作３０度ずつ、０．７５ｍｍ微動することを特徴とするピント超微動調節装置。